(57)【要約】【課題】車両の同乗者がいるときには、個人情報を含んだコンテンツやアプリをそのまま画面に表示することを避けて、プライバシーの問題を回避することができる携帯通信機器、車載機器連携プログラムおよび車載機器を提供する。【解決手段】車両に搭載される車載機器１００と通信可能に接続される携帯通信機器２００であって、携帯通信機器２００上で動作するアプリケーション２１０の実行に必要な個人情報を保持する個人情報格納手段２３０と、車載機器１００から車両の同乗者情報を取得して、同乗者が居る場合には個人情報格納手段２３０からの個人情報の取得を制約し、同乗者が居ない場合には個人情報の取得の制約を解除する個人情報制約手段２５２とを備える。【選択図】図１
2014143583.tif 000002
【特許請求の範囲】
【請求項１】
車両に搭載される車載機器と通信可能に接続される携帯通信機器であって、
前記携帯通信機器上で動作するアプリケーションソフトウェアの実行に必要な個人情報を保持する個人情報格納手段と、
前記車載機器から前記車両の同乗者情報を取得して、前記同乗者が居る場合には前記個人情報格納手段からの個人情報の取得を制約し、前記同乗者が居ない場合には前記個人情報の取得の制約を解除する個人情報制約手段と、
を備える携帯通信機器。
【請求項２】
携帯通信機器上で動作するアプリケーションソフトウェアの実行を制御する車載機器連携プログラムであって、
前記携帯通信機器は車両に搭載される車載機器と通信可能に接続され、前記携帯通信機器は前記アプリケーションソフトウェアの実行に必要な個人情報を保持しており、
前記車載機器から前記車両の同乗者情報を取得するステップと、
同乗者が居る場合には前記保持している個人情報の取得を制約するステップと、
同乗者が居ない場合には前記個人情報の取得の制約を解除するステップと、
をコンピュータに実行させる車載機器連携プログラム。
【請求項３】
請求項１記載の携帯通信機器と通信可能に接続される車載機器であって、前記車両から同乗者情報を取得して、取得した同乗者情報を前記携帯通信機器に送信する車載機器。
【発明の詳細な説明】
【技術分野】
【０００１】
本発明は、携帯通信機器、車載機器連携プログラムおよび車載機器に関するものである。
【背景技術】
【０００２】
スマートフォン等の携帯通信機器を車載機器に接続して、携帯通信機器上でアプリケーションソフトウェア（以下、アプリと呼ぶ）を実行した結果の画面を車載機器のディスプレイに表示する携帯通信機器連携システムが商品化されている。携帯通信機器上で車載機器との連携用のアプリを実行し、同アプリが画像データや音声データを車載機器に送信することによって、同機能を実現している（例えば、特許文献１参照）。
【０００３】
一方で、携帯通信機器では、ツイッター（ＴＷＩＴＴＥＲ（登録商標））と呼ばれるソーシャルメディアや、グーグル（登録商標）のアカウントなどの入力の手間を省くため、以前に入力したコンテンツやアプリのＩＤ・パスワードを個人情報として記憶し、次回からは入力を省略してもログインしてコンテンツやアプリを視聴実行可能にしているものが多い。
【先行技術文献】
【特許文献】
【０００４】
【特許文献１】特開２０１２−１０２８７号公報
【発明の概要】
【発明が解決しようとする課題】
【０００５】
携帯通信機器は個人による使用を前提としているが、自動車の場合は同乗者がいる場合もある。そのため、同乗者がいる場合に、ＩＤ・パスワードの入力を省略して携帯通信機器のアプリをそのまま車載機器の画面に表示すると、プライバシーの問題が発生する場合が考えられる。
【０００６】
本発明は従来の課題を解決するためになされたもので、同乗者がいると判断されるときには、個人情報を含んだコンテンツやアプリをそのまま画面に表示することを避けることで、プライバシーの問題を回避することができる携帯通信機器、車載機器連携プログラムおよび車載機器を提供することを目的とする。
【課題を解決するための手段】
【０００７】
上記目的を達成するために本発明の第１の局面は、車両に搭載される車載機器と通信可能に接続される携帯通信機器に向けられており、携帯通信機器上で動作するアプリケーションソフトウェアの実行に必要な個人情報を保持する個人情報格納手段と、車載機器から車両の同乗者情報を取得して、同乗者が居る場合には個人情報格納手段からの個人情報の取得を制約し、同乗者が居ない場合には個人情報の取得の制約を解除する個人情報制約手段とを備える。
【０００８】
本発明の第２の局面は、携帯通信機器上で動作するアプリケーションソフトウェアの実行を制御する車載機器連携プログラムに向けられている。携帯通信機器は車両に搭載される車載機器と通信可能に接続され、アプリケーションソフトウェアの実行に必要な個人情報を保持している。車載機器連携プログラムは、車載機器から車両の同乗者情報を取得するステップと、同乗者が居る場合には保持している個人情報の取得を制約するステップと、同乗者が居ない場合には個人情報の取得の制約を解除するステップと、をコンピュータ
に実行させるプログラムである。
【０００９】
本発明の第３の局面は、上記本発明の第１の局面の携帯通信機器と通信可能に接続される車載機器であって、車両から同乗者情報を取得して、取得した同乗者情報を携帯通信機器に送信する。
【発明の効果】
【００１０】
本発明の、携帯通信機器、車載機器連携プログラムおよび車載機器によれば、同乗者がいると判断されるときには、個人情報を含んだコンテンツやアプリをそのまま画面に表示することを避けるので、プライバシーの問題を回避することができる。また、同乗者がいないと判断される場合には、ＩＤ・パスワードの入力の手間が不要であるので、利便性を保つことができる。
【図面の簡単な説明】
【００１１】
【図１】本発明の一実施の形態における車載機器−携帯通信機器連携システムの構成を示すブロック図
【図２】連携用アプリ２５０の処理の流れを示すフローチャート
【図３】コンテンツやアプリにログインするためのＩＤ・パスワードの入力をユーザに要求する表示情報の一例を示す図
【発明を実施するための形態】
【００１２】
以下、本発明の一実施の形態における携帯通信機器、車載機器連携プログラムおよび車載機器について図面を用いて説明する。なお、以下で説明する本発明の実施の形態は、本発明の好ましい一具体例を示すものである。本実施の形態で示される数値、形状、構成要素、構成要素の配置及び接続形態などは、一例であり、本発明を限定する主旨ではない。本発明は、特許請求の範囲だけによって限定される。よって、以下の実施の形態における構成要素のうち、独立請求項に記載されていない構成要素は、本発明の課題を達成するのに必ずしも必要ではないが、より好ましい形態を構成するものとして説明される。
【００１３】
図１は本実施の形態の車載機器−携帯通信機器連携システムの構成を示すブロック図で、車載機器１００と携帯通信機器２００とから構成されている。
【００１４】
車載機器１００は、表示手段１１０、同乗者情報判定手段１２０、車載機器側通信手段１３０を備えている。
【００１５】
表示手段１１０は、液晶や有機ＥＬなどのディスプレイであり、携帯通信機器２００から受信した映像を表示する。
【００１６】
同乗者情報判定手段１２０は、車両内の運転者以外の同乗者の有無（同乗者情報）を判定する。具体的には、下記に挙げる方法を用いることができる。
【００１７】
１）助手席、後部座席に設置される荷重センサや、シートベルトバックルのロックを検出するセンサ等を活用した着座センサからの情報により、運転席以外の座席への着席を判定する。
【００１８】
２）同乗者が所有するスマートフォン、携帯電話等の携帯機器と、車載機器がＢｌｕｅｔｏｏｔｈ（登録商標）などで接続が可能な場合、その接続状態によって同乗者の有無を判定する。
【００１９】
３）ユーザが設定画面等で同乗者がいるかいないかを手動で設定する。
【００２０】
車載機器側通信手段１３０は、ＵＳＢ、ＨＤＭＩ（登録商標）などの有線通信またはＷｉＦｉ、Ｂｌｕｅｔｏｏｔｈ（登録商標）などの無線通信によって、携帯通信機器２００とデータ通信を行うためのＩＣチップならびにソフトウェアである。
【００２１】
携帯通信機器２００は、ユーザによって車両に持ち込まれるスマートフォン、タブレット型ＰＣ（Ｐｅｒｓｏｎａｌ  Ｃｏｍｐｕｔｅｒ）、ノート型ＰＣなど、無線により車両外部と通信接続され、インターネットに接続可能な通信機器である。ハードウェア的には、任意のコンピュータのプロセッサ、メモリ、その他のＬＳＩで実現でき、ソフトウェア的にはメモリにロードされたプログラムなどによって実現されるが、ここではそれらの連携によって実現される機能ブロックを描いている。したがって、これらの機能ブロックがハードウェアや、ソフトウェアとの組み合わせによっていろいろな形で実現できることは、当業者には理解されるところである。例えば、システムコントローラ、アプリケーションプロセッサ、メモリおよびメモリ上のアプリケーションプログラムの協働により実現される。
【００２２】
図１においては、携帯通信機器２００は機能ブロックとして、（一般の）アプリケーション２１０、個人情報アクセス手段２２０、個人情報格納手段２３０、携帯通信機器側通信手段２４０、連携用アプリ２５０を備えている。
【００２３】
アプリケーション２１０は、携帯通信機器２００のＯＳ（Ｏｐｅｒａｔｉｎｇ  Ｓｙｓｔｅｍ）上で動作する各種アプリケーションソフトウェアであり、携帯通信機器２００のディスプレイ（図示せず）への表示結果は、連携用アプリ２５０を介して車載機器１００の表示手段１１０に表示される。
【００２４】
個人情報アクセス手段２２０は、携帯通信機器２００のＯＳが、アプリケーション２１０のために備えた個人情報の読み書きをするためのソフトウェア（典型的にはＡＰＩ（Ａｐｐｌｉｃａｔｉｏｎ  Ｐｒｏｇｒａｍ  Ｉｎｔｅｒｆａｃｅ））である。
【００２５】
個人情報格納手段２３０は、メモリ等の記憶装置で構成され、携帯通信機器２００のユーザの個人情報を格納する。個人情報の例としては、インターネットの各種サービスにログインするためのユーザ名とパスワードの組、クレジットカードの番号、銀行口座の暗証番号、住所、電話番号、アドレス帳に登録された友人や家族の情報などがある。
【００２６】
携帯通信機器側通信手段２４０は、ＵＳＢ、ＨＤＭＩ（登録商標）などの有線通信またはＷｉＦｉ、Ｂｌｕｅｔｏｏｔｈ（登録商標）などの無線通信によって、車載機器１００とデータ通信を行うためのＩＣチップならびにソフトウェアである。
【００２７】
連携用アプリ２５０は、携帯通信機器２００のＯＳ上で動作して、車載機器１００と携帯通信機器２００との連携機能を有するアプリケーションソフトウェア（車載機器連携プログラム）で、表示情報送信手段２５１と、個人情報制約手段２５２を備える。
【００２８】
表示情報送信手段２５１は、アプリケーション２１０の表示情報を入力して、必要に応じて車載機器１００で表示しやすい表示情報に加工を施し、携帯通信機器側通信手段２４０を介して車載機器１００に表示情報を出力する。
【００２９】
個人情報制約手段２５２は、携帯通信機器側通信手段２４０を介して車載機器１００から車両の同乗者情報を入力し、アプリケーション２１０を実行する際の個人情報の制約または制約解除を制御する。
【００３０】
次に、連携用アプリ２５０の動作について図２のフローチャートを用いて説明する。連携用アプリ２５０はユーザの操作によって携帯通信機器２００上で実行操作され、処理がスタートする。
【００３１】
まず、ステップＳ２０１において、表示情報送信手段２５１はユーザによりアプリケーション２１０の実行操作がされたか否かを判定する（ステップＳ２０１）。アプリケーション２１０の実行操作された場合（Ｙｅｓ）、処理をステップＳ２０２に移し、後述するステップＳ２０８までアプリケーション２１０の実行処理を待機させる。実行操作されていない場合（ステップＳ２０１でＮｏ）には、処理を戻して実行操作されるのを待つ。
【００３２】
次に、個人情報制約手段２５２は、携帯通信機器側通信手段２４０からの情報に基づいて車載機器１００との通信が確立されているかを判定する（ステップＳ２０３）。車載機器１００との通信が確立されている場合（Ｙｅｓ）、処理をステップＳ２０４に移す。
【００３３】
通信が確立されていない場合（ステップＳ２０３でＮｏ）、処理をステップＳ２０７に移して、個人情報の制約がされている場合にはその制約を元に戻して解除する。この場合、携帯通信機器２００は車載機器１００と連携しておらず、ユーザが携帯通信機器を単独で動作させているのと同じなので、個人情報が同乗者に漏れる恐れは無い。そして、ステップＳ２０２で実行処理を待機させていたアプリケーション２１０の実行を許可する（ステップＳ２０８）。
【００３４】
一方、ステップＳ２０４では、個人情報制約手段２５２は、携帯通信機器側通信手段２４０を介して、車載機器１００から同乗者情報を取得する。そして、個人情報制約手段２５２は取得した同乗者情報から、同乗者の有無を判定する（ステップＳ２０５）。
【００３５】
ステップＳ２０５において、同乗者が居た場合（Ｙｅｓ）、個人情報制約手段２５２はアプリケーション２１０が個人情報のファイルにアクセスするのを制約する処理をし（ステップＳ２０６）、同乗者が居ない場合（Ｎｏ）にはステップＳ２０７に処理を移す。同乗者が居ない場合には、個人情報が漏れる恐れは無い。そして、ステップＳ２０８では、個人情報制約手段２５２は、ステップＳ２０２で実行処理を待機させていたアプリケーション２１０の実行を許可する。
【００３６】
ここで、アプリケーション２１０の実行中は、車載機器１００との通信が確立されている場合、表示情報送信手段２５１はアプリケーション２１０の表示情報を入力して、必要に応じて車載機器１００で表示しやすい表示情報に加工を施し、携帯通信機器側通信手段２４０を介して車載機器１００に表示情報を出力する。
【００３７】
ステップＳ２０９では、表示情報送信手段２５１はアプリケーション２１０が終了されたかを判定する。アプリケーション２１０が終了された場合（ステップＳ２０９でＹｅｓ）、処理をステップＳ２１０に移し、個人情報制約手段２５２がステップＳ２０６で制約したアプリケーション２１０の個人情報へのアクセスを解除する処理をする。そして、連携用アプリ２５０は処理を終了する。
【００３８】
次に、図２のステップＳ２０６において、個人情報制約手段２５２が個人情報の制約を制御する具体的な方法について２種類の例を挙げて説明する。
【００３９】
まず、個人情報を制約する第１の方法について説明する。個人情報を制約する場合、個人情報制約手段２５２は、個人情報アクセス手段２２０を介して、個人情報格納手段２３０に格納されている個人情報のファイルまたはフォルダの名称を変更または格納場所を移動させる。これにより、アプリケーション２１０が個人情報アクセス手段２２０を介して
個人情報のファイルにアクセスしようとしても、ファイルまたはフォルダに到達できないためこれを読み取ることができない。
【００４０】
例えば、ツイッター（ＴＷＩＴＴＥＲ（登録商標））と呼ばれるソーシャルメディアや、グーグル（登録商標）のアカウントなどの入力の手間を省くため、以前に入力したコンテンツやアプリのＩＤ・パスワードを個人情報として個人情報格納手段２３０に記憶していても、アプリケーション２１０はその個人情報のファイルに到達できない。そのため、アプリケーション２１０はコンテンツやアプリにログインするためのＩＤ・パスワードの入力を改めてユーザに要求する表示情報を出力し、その表示情報が表示情報送信手段２５１を介して車載機器１００の表示手段１１０にも表示される（図３）。
【００４１】
一方、個人情報の禁止を解除する場合は、個人情報制約手段２５２は、個人情報アクセス手段２２０を介して、個人情報格納手段２３０に格納されているファイルまたはフォルダの名称または格納場所をもとの状態に戻す。それにより、アプリケーション２１０は個人情報アクセス手段２２０を介して個人情報のファイルにアクセスすることがでる。
【００４２】
アプリケーション２１０は、個人情報格納手段２３０に記憶している以前にユーザにより入力されたＩＤ・パスワードを個人情報アクセス手段２２０を介して読み込んでログインし、コンテンツやアプリを視聴実行可能とすることができる。
【００４３】
第１の方法の場合、連携用アプリ２５０はインストールする時に、予め携帯通信機器２００のＯＳより個人情報格納手段２３０へのファイルアクセスの権限が与えられているものとする。
【００４４】
次に、図２のステップＳ２０６において、個人情報を制約する第２の方法について説明する。個人情報を制約する場合、個人情報制約手段２５２は、携帯通信機器２００のＯＳに用意されている個人情報アクセスを禁止する関数を呼び出す。この関数は個人情報アクセス手段２２０の挙動を変更し、たとえばアプリケーション２１０が個人情報アクセス手段２２０を介して個人情報にアクセスしようとしても、無効な値を返すようにする。一方、個人情報の禁止を解除する場合は、個人情報制約手段２５２は、携帯通信機器２００のＯＳに用意されている個人情報アクセスの禁止を解除する関数を呼び出す。この関数は、個人情報アクセス手段２２０の挙動を通常の挙動に戻す。
【００４５】
第２の方法の場合、携帯通信機器２００のＯＳには個人情報アクセスの禁止・禁止解除のための関数が用意されていることが前提となる。
【００４６】
以上説明したように、本発明の携帯通信機器、車載機器連携プログラムおよび車載機器によれば、同乗者がいると判断されるときには、個人情報を含んだコンテンツやアプリをそのまま画面に表示することを避けるので、プライバシーの問題を回避することができる。また、同乗者がいないと判断される場合には、ＩＤ・パスワードの入力の手間が不要であるので、利便性を保つことができる。
【産業上の利用可能性】
【００４７】
本発明の携帯通信機器、車載機器連携プログラムおよび車載機器は、同乗者がいると判断されるときにはプライバシーの問題を回避でき、同乗者がいないと判断される場合には従前の利便性を保つことができるという効果を有し、スマートフォン等の携帯通信機器を車載機器に接続して、携帯通信機器上でアプリを実行した結果の画面を車載機器のディスプレイに表示する車載機器−携帯通信機器連携システム等に有用である。
【符号の説明】
【００４８】
１００  車載機器
１１０  表示手段
１２０  同乗者情報判定手段
１３０  車載機器側通信手段
２００  携帯通信機器
２１０  アプリケーション
２２０  個人情報アクセス手段
２３０  個人情報格納手段
２４０  携帯通信機器側通信手段
２５０  連携用アプリ
２５１  表示情報送信手段
２５２  個人情報制約手段
【図１】
2014143583.tif 000003
【図２】
2014143583.tif 000004
【図３】
2014143583.tif 000005